(57)【要約】【課題】組み立て性が良好で、構成が簡素な密閉型スピーカアレイ装置を提供する。【解決手段】スピーカアレイユニット１では、密閉用キャビティ３０の後面としてプリント基板４０を使用する構造であるため、従来のスピーカアレイ装置に比べて、組み立て性を向上させることができる。また、複数のスピーカユニット２０をバッフル板１０と密閉用キャビティ３０とで挟持する構成であるため、従来のスピーカアレイ装置のように各スピーカユニット２０をそれぞれネジ止めする必要がなく、さらに組み立て性を向上させることができる。また、アレイスピーカ装置を密閉型のスピーカとする場合でも、別途、密閉用のボックスまたはそれに相当する構造が不要であり、構成を簡素化することができる。【選択図】図３
2007235709.tif 000002
【特許請求の範囲】
【請求項１】
複数のスピーカユニット用開口部を有するバッフル面と、このバッフル面及びプリント基板取り付け面を除く他の面を密閉する壁面と、を有するスピーカボックスと、
前記バッフル面に取り付けられる複数のスピーカユニットと、
前記プリント基板取り付け面を密閉するように取り付けられ、前記複数のスピーカユニットの信号用配線パターンを含むパターンが形成されたプリント基板と、
を含むことを特徴とする密閉型スピーカアレイ装置。
【請求項２】
前記スピーカボックスは、プリント基板取り付け面を複数備えたことを特徴とする請求項１に記載の密閉型スピーカアレイ装置。
【請求項３】
前記複数のプリント基板取り付け面は隣接しており、このプリント基板取り付け面を密閉する各プリント基板は、前記隣接するプリント基板取り付け面の接合辺で信号線接続用コネクタにより相互に接続されたことを特徴とする請求項２に記載の密閉型スピーカアレイ装置。
【請求項４】
前記スピーカボックスは、
前記スピーカユニット用開口部と、この開口部に対して前記スピーカユニットを位置決めする嵌合部と、を有するバッフル板と、
前記他の面を密閉する壁面と、前記プリント基板取り付け面と、前記バッフル板とともに、前記複数のスピーカユニットを挟持する挟持面と、を有するキャビティと、
を備えたことを特徴とする請求項１乃至３のいずれかに記載の密閉型スピーカアレイ装置。
【発明の詳細な説明】
【技術分野】
【０００１】
本発明は、密閉型スピーカアレイ装置における組み立て構造の簡略化に関する。
【背景技術】
【０００２】
近時、サラウンドサウンドシステムのひとつとして、複数のスピーカを直線状や平面状（マトリックス状）に配置したスピーカアレイ装置を使用したものがある。このシステムでは、スピーカアレイ装置の各スピーカの放音タイミングを調整して、複数の音声ビームを形成することができる。また、この音声ビームの幾つかを部屋の壁などに反射させて、ユーザの周囲に複数の仮想音源を配置することで、サラウンドサウンド空間を形成する。
【０００３】
図１は、従来のスピーカアレイ装置の前面側、及び裏面側の配線の状態を示す外観図である。従来のスピーカアレイ装置は、音声ビームを効率良く形成するために、複数のスピーカユニットを密集させた構造であり、図１（Ａ）に示すスピーカアレイ装置１０１は、一例として２１個のスピーカユニット１１１を備えている。このように、従来のスピーカアレイ装置は複数のスピーカユニットを備えているので、スピーカユニット毎に信号入力用の線材を、信号処理回路が搭載された不図示のプリント基板に接続するのは非常に手間であった。そのため、図１（Ｂ）に示すように、スピーカアレイ装置１０１では、各スピーカユニット１１１に接続された線材１２１を数個単位でコネクタ１２６に取りまとめて、各コネクタ１２６を信号処理回路が搭載された不図示のプリント基板に接続していた。また、図１（Ｃ）に示すように、従来のスピーカアレイ装置１０１では、アッセンブリされたケーブル１２２を各スピーカユニット１１１に接続し、複数のケーブル１２２の取り回しを調整し、ケーブルバンド１２３などでまとめながら整形し、各コネクタ１２７を信号処理回路が搭載された不図示のプリント基板に接続する場合もあった。しかし、いずれにしても、従来のスピーカアレイ装置１０１では、複数のスピーカユニット１１１に接続する線材１２１やケーブル１２２の取り回しや整形などの組み立て時の作業が煩雑であった。
【０００４】
そこで、従来、リード線やコネクタを必要とせず圧縮コイルバネをプリント基板のランドに圧接するだけで、スピーカをプリント基板に対して電気的に接続できるスピーカアレイ装置の発明が開示されている（例えば、特許文献１参照。）。
【特許文献１】特開２００５−６４７９６号公報
【発明の開示】
【発明が解決しようとする課題】
【０００５】
しかしながら、特許文献１に記載のスピーカアレイ装置では、上記のようにスピーカの配線については大幅に改善されているものの、各スピーカユニットをフロントパネルにネジで取り付ける構造のため、組み立て性があまり良くないという問題があった。また、このアレイスピーカ装置では、スピーカボックスの中にスピーカを取り付けてから、スピーカボックスに設けた孔を介して延出する圧縮コイルバネをプリント基板で押さえ込みながら、プリント基板をスピーカボックスに取り付けなければならず、組み立て性があまり良くないという問題があった。さらに、アレイスピーカ装置を密閉型のスピーカとする場合には、別途、密閉用のボックスまたはそれに相当する構造が必要であり、構成が複雑になるという問題があった。
【０００６】
そこで、本発明は、組み立て性が良好で、構成が簡素な密閉型スピーカアレイ装置を提供することを目的とする。
【課題を解決するための手段】
【０００７】
この発明は、上記の課題を解決するための手段として、以下の構成を備えている。
【０００８】
（１）複数のスピーカユニット用開口部を有するバッフル面と、このバッフル面及びプリント基板取り付け面を除く他の面を密閉する壁面と、を有するスピーカボックスと、
前記バッフル面に取り付けられる複数のスピーカユニットと、
前記プリント基板取り付け面を密閉するように取り付けられ、前記複数のスピーカユニットの信号用配線パターンを含むパターンが形成されたプリント基板と、
を含むことを特徴とする。
【０００９】
この構成においては、スピーカボックスのプリント基板取り付け面には、その面を密閉するようにプリント基板が取り付けられている。また、このプリント基板は、スピーカユニットの信号用配線パターンを含むパターンが形成されている。したがって、密閉用スピーカアレイ装置では、プリント基板と各スピーカユニットを接続することで、スピーカユニットに信号の供給が可能となり、スピーカユニットの配線を大幅に短縮でき、従来のスピーカアレイ装置のように、配線の取り回しを調整したり整形したりする作業が不要となる。したがって、スピーカアレイ装置の組み立て性を向上できる。
【００１０】
（２）前記スピーカボックスは、プリント基板取り付け面を複数備えたことを特徴とする。
【００１１】
この構成においては、スピーカボックスは複数のプリント基板取り付け面を備えており、各プリント基板取り付け面にはプリント基板がその面を密閉するように取り付けられる。このとき、例えば、スピーカユニットの信号用配線パターンが形成されたプリント基板と、別のプリント基板をスピーカユニットの信号処理回路パターンが形成されたプリント基板を使用することが可能である。したがって、従来のスピーカアレイ装置は、信号処理用プリント基板を別途設けていたため、装置全体が大型化していたが、この構成のスピーカアレイ装置は、装置全体を小型化することが可能となる。
【００１２】
（３）前記複数のプリント基板取り付け面は隣接しており、このプリント基板取り付け面を密閉する各プリント基板は、前記隣接するプリント基板取り付け面の接合辺で信号線接続用コネクタにより相互に接続されたことを特徴とする。
【００１３】
この構成においては、隣接するプリント基板取り付け面を密閉する資格プリント基板は、隣接するプリント基板取り付け面の接合辺で信号線接続用コネクタにより相互に接続されている。したがって、プリント基板とスピーカボックスのプリント基板取り付け面との密閉性を高めることができる。
【００１４】
（４）前記スピーカボックスは、
前記スピーカユニット用開口部と、この開口部に対して前記スピーカユニットを位置決めする嵌合部と、を有するバッフル板と、
前記他の面を密閉する壁面と、前記プリント基板取り付け面と、前記バッフル板とともに、前記複数のスピーカユニットを挟持する挟持面と、を有するキャビティと、
を備えたことを特徴とする。
【００１５】
この構成においては、スピーカボックスは、複数のスピーカユニットを挟持するバッフル板とキャビティを備えており、バッフル板のスピーカユニット用開口部にはスピーカユニットを位置決めする嵌合部を備えている。したがって、各スピーカユニットをバッフル板やキャビティにネジ止めする必要が無く、複数のスピーカユニットを備えたスピーカアレイ装置であっても、容易に組み立てることができる。また、この構成においては、別途、密閉用のボックスまたはそれに相当する構造が不要であり、密閉型スピーカアレイ装置の構成を簡素化できる。
【発明の効果】
【００１６】
本発明の密閉型スピーカアレイユニット装置によれば、スピーカボックスのプリント基板取り付け面を密閉するようにプリント基板が取り付けられ、プリント基板には、スピーカユニットの信号用に配線パターンを含むパターンが形成されるので、プリント基板と各スピーカユニットを接続することで、スピーカユニットに信号の供給が可能となり、スピーカユニットの配線を大幅に短縮でき、従来のスピーカアレイ装置のように、配線の取り回しを調整したり整形したりする作業が不要となる。したがって、スピーカアレイ装置の組み立て性を向上できる。
【００１７】
また、本発明の密閉型スピーカアレイユニット装置は、複数のスピーカユニットをバッフル板とキャビティとで挟持する構成であるため、従来のスピーカアレイ装置のように各スピーカユニットをそれぞれネジ止めする必要がなく、組み立て性をさらに向上できる。
【発明を実施するための最良の形態】
【００１８】
図２は、ライン型のスピーカアレイユニットの斜視図、及びマトリックス型のスピーカアレイ装置の斜視図である。図２（Ａ）に示したライン型のスピーカアレイユニット１は、一例として１０個のスピーカユニット２０−１〜２０−１０を備えた密閉型のスピーカアレイである。このライン型のスピーカアレイユニット１の前面に設けられた小穴１２−１〜１２−１１及び小穴１３−１〜１３−１１と、ケース３の桟４の裏面側に設けられたボス（突起）５（不図示）と、を勘合させて、ケース３にライン型のスピーカアレイユニット１を複数台積み重ねた状態で取り付けることで、図２（Ｂ）に示すマトリックス型のスピーカアレイ装置２を構成できる。図２（Ｂ）に示したマトリックス型のスピーカアレイ装置２は、一例として５台のスピーカアレイユニット１を備えた密閉型のスピーカアレイ装置である。
【００１９】
なお、後述する図５〜図７に示す断面図は、図２（Ａ）のＡ−Ａ断面図である。また、以降の説明に用いる各図では、表記が繁雑となるため、符号の表記を一部省略している。
【００２０】
図３は、ライン型のスピーカアレイユニットの前方からの斜視展開図である。図４は、ライン型のスピーカアレイユニットの後方からの斜視展開図である。図５は、ライン型のスピーカアレイユニットの断面図である。
【００２１】
図３及び図４に示すように、スピーカボックスであるライン型のスピーカアレイユニット１は、バッフル板１０、スピーカユニット２０−１〜２０−１０、密閉用キャビティ３０、及びプリント基板４０を備えている。なお、スピーカユニット２０−１〜２０−１０の総称をスピーカユニット２０とする。
【００２２】
バッフル板１０には、スピーカユニット用開口部である各スピーカユニット２０〜２０−１０の放音孔１１−１〜１１−１０が一定の間隔で形成されている。円形の放音孔１１−１〜１１−１０は、スピーカユニット２０を構成するスピーカ２１の外径と同径である。
【００２３】
また、バッフル板１０の表面（バッフル面）における長手方向の２つの辺に沿って、通気しない小穴１２−１〜１２−１１と、通気しない小穴１３−１〜１３−１１が一定の間隔で形成されている。これら小穴１２−１〜１２−１１及び小＞＞穴１３−１〜１３−１１は、前記のようにマトリックス型のスピーカアレイ装置２の組み立て時に、図２に示したケース３の前面側の複数の桟４の裏面に設けられた複数のボス５（不図示）と嵌合させて、ライン型のスピーカアレイユニット１をケース３に固定するために使用する。また、ケース３の前面側の桟４に複数のネジ孔を設けて、このネジ孔を介して、小穴１２−１〜１２−１１、及び小穴１３−１〜１３−１１の幾つかをネジで固定することで、ライン型のスピーカアレイユニット１をケース３に取り付けることも可能である。
【００２４】
また、バッフル板１０の裏面において、各放音孔１１−１〜１１−１０の周囲には、スピーカユニット２０−１〜２０−１０の位置決め用に、一辺の無い台形状（コの字形）のリブ（嵌合部）１４−１〜１４−２０が形成されている。
【００２５】
スピーカユニット２０は、スピーカ２１と、ホルダ２２と、端子ピン２３Ａ，２３Ｂからなる。スピーカ２１は、円形のコーン型スピーカであり、裏面に端子ピン２３Ａ、２３Ｂを取り付ける端子２１Ｔａ、２１Ｔｂを備えている。ホルダ２２は、小判型の円筒形状であり、外周側面の平面状の部分にはそれぞれ切り欠き２４Ａ，２４Ｂが対向して形成されている。スピーカユニット２０のホルダ２２は、バッフル板１０のリブ１４−１〜１４−２０により、位置決めされる。
【００２６】
密閉用キャビティ３０は、直方体形状（箱型）であり、その正面（挟持面）３１Ｆには、バッフル板１０に形成された放音孔１１−１〜１１−１０と同じ間隔で、スピーカ取付孔３２−１〜３２−１０が形成されている。スピーカ取付孔３２−１〜３２−１０は小判形であり、直線状の部分に突起３３Ａ・３３Ｂが対向して形成されている。スピーカ取付孔３２−１〜３２−１０にスピーカユニット２０−１〜２０−１０を挿入すると、この突起３３Ａ・３３Ｂが、スピーカユニット２０のホルダ２２に形成された切り欠き２４Ａ，２４Ｂと嵌合して、スピーカユニット２０が密閉用キャビティ３０に掛止される。また、密閉用キャビティ３０の後面３１Ｒは解放面（プリント基板取り付け面）となっており、後面３１Ｒの周囲にプリント基板４０が複数のネジ５０により取り付けられる。
【００２７】
また、スピーカ取付孔３２−１〜３２−１０の中心から孤までの径は、ホルダ２２の半径よりも長くなっている。これにより、スピーカユニット２０−１〜２０−１０をスピーカ取付孔３２−１〜３２−１０に取り付けた状態では、スピーカユニット２０−１〜２０−１０における弧の部分の周囲に孔が空いた状態となる。したがって、図５においてスピーカユニットの上下に記載した２つの両矢印で示すように、バッフル板１０と密閉用キャビティ３０の間の空間と、密閉用キャビティ３０内の空間と、を空気が流通する。
【００２８】
密閉用キャビティ３０の上面３１Ｊ及び下面３１Ｋには、それぞれ等間隔に、ネジ取り付け用のネジ溝３４−１〜３４−６及びネジ孔３５−１〜３５−６が形成されている。また、バッフル板１０には、このネジ孔３５−１〜３５−６に対応して、ネジ取り付け用のボス１５−１〜１５−６が形成されている。
【００２９】
プリント基板４０は、密閉用キャビティ３０の後面３１Ｒの全体を被覆できるように、後面３１Ｒとほぼ同じ大きさである。また、プリント基板４０には、スピーカユニット２０−１〜２０−１０に取り付けられた端子ピン２３Ａ，２３Ｂを半田付けする複数のスルーホール４１が形成されている。さらに、プリント基板４０には、コネクタ４２Ａ，４２Ｂが取り付けられており、このコネクタ４２Ａ，４２Ｂと、複数のスルーホール４１とが信号用のパターンにより接続されている。加えて、プリント基板４０には、その外周に沿って、所定の間隔で固定用の孔４３が複数形成されている。また、プリント基板４０にビアホールを形成する場合には、各ビアホールは導体や半田などにより封止されている。
【００３０】
なお、各スピーカ２１の端子２１Ｔａ・２１Ｔｂとプリント基板４０の接続には、端子ピン２３Ａ・２３Ｂに代えて、圧縮コイルバネを使用することも当然可能である。
【００３１】
次に、スピーカアレイユニット１の組み立ては、以下の手順で行う。まず、スピーカユニット２０を組み立てる。すなわち、スピーカ２１をホルダ２２に嵌め込む。このとき、スピーカ２１の端子２１Ｔａ、２１Ｔｂがホルダ２２に対して常に同じ位置となるようにする。
【００３２】
続いて、作業台などの上に、バッフル板１０をその表面を下にして置く。そして、ホルダ２２の平面状の外周部がリブ１４−１〜１４−２０と対向するようにして、スピーカユニット２０−１〜２０−１０を、バッフル板１０の裏面側に嵌め込む。また、スピーカ２１の端子２１Ｔａ、２１Ｔｂに端子ピン２３を取り付ける。そして、この端子ピン２３を変形させないように、密閉用キャビティ３０の各スピーカ取付孔３２−１〜３２−１０を通過させてから、密閉用キャビティ３０の突起３３Ａ・３３Ｂとホルダ２２の切り欠き２４Ａ・２４Ｂとを嵌合させる。さらに、各ネジ溝３４−１〜３４−６からネジ６０を挿入して、各ネジ６０をネジ孔３５−１〜３５−６を介してボス１５−１〜１５−６に固定する。
【００３３】
これにより、各スピーカユニット２０−１〜２０−１０を、バッフル板１０と密閉用キャビティ３０とで挟持することになる。また、スピーカアレイユニット１は密閉型スピーカであるため、各スピーカユニット２０−１〜２０−１０の前面がバッフル板１０の裏面に密接し、また、バッフル板１０が密閉用キャビティ３０と密接するように構成されている。したがって、スピーカアレイユニット１は、その前側において外部に空気の漏れが生じない。
【００３４】
次に、密閉用キャビティ３０の裏面（プリント基板取り付け面）に、プリント基板４０を取り付ける。このとき、各スピーカユニット２０−１〜２０−１０の各端子ピン２３Ａ、２３Ｂの間隔を一定に保つために、図４に示すように棒状で等間隔に複数の孔７１が形成された端子ピンホルダ７０を使用すると良い。また、端子ピンホルダ７０は、図５に示すように、プリント基板４０の近傍において、密閉用キャビティ３０の両側面の内側で保持する構造にすると良い。
【００３５】
続いて、プリント基板４０のスルーホールに各端子ピン２３Ａ、２３Ｂの先端を挿入してから、プリント基板４０を複数のネジ５０で密閉用キャビティ３０に固定する。そして、プリント基板４０のスルーホールに挿入した各端子ピン２３Ａ、２３Ｂをプリント基板４０に半田付けする。
【００３６】
スピーカアレイユニット１は密閉型のスピーカアレイであるため、プリント基板４０が密閉用キャビティ３０に密接するように構成されている。この場合、プリント基板４０と密閉用キャビティ３０との間に、例えばゴムパッキンなどを挟む構成としても良い。また、前記のように、プリント基板４０にビアホールを形成する場合には、各ビアホールは導体や半田などにより封止されている。したがって、スピーカアレイユニット１の後部においても、外部に空気の漏れが生じない。
【００３７】
このように、スピーカアレイユニット１では、密閉用キャビティ３０の後面としてプリント基板４０を使用する構造であるため、従来のスピーカアレイ装置に比べて、組み立て性を向上させることができる。また、複数のスピーカユニット２０をバッフル板１０と密閉用キャビティ３０とで挟持する構成であるため、従来のスピーカアレイ装置のように各スピーカユニットをそれぞれネジ止めする必要がなく、組み立て性をさらに向上させることができる。
【００３８】
次に、スピーカアレイユニットの別の構成について説明する。図６は、スピーカアレイユニットの別の構成を示す斜視展開図及び断面図である。スピーカアレイユニットにおいては、プリント基板を密閉用キャビティの他の面にも使用することができる。例えば、図６に示すスピーカアレイユニット１Ａのように、密閉用キャビティ３０Ａの上面３１ＡＪを解放面（プリント基板取り付け面）とし、この上面３１ＡＪとして配線用のプリント基板４０Ａを使用して、この解放面全体を被覆する。
【００３９】
この場合、スピーカアレイユニット１Ａの構成は、図３に基づいて説明したスピーカアレイユニット１の構成とほぼ同様であるが、スピーカユニット２０においてスピーカ２１の端子２１Ｔａ・２１Ｔｂが設けられた面と平行に、端子ピン２３Ｃ・２３Ｄを端子２１Ｔａ・２１Ｔｂに取り付ける（半田付けする）。これにより、スピーカ２１の端子２１Ｔａ・２１Ｔｂとプリント基板４０Ａと距離を、スピーカアレイユニット１の場合よりも短くすることができ、端子ピンホルダなどの部品が不要であり、さらに組み立て性を向上させることができる。
【００４０】
また、スピーカアレイユニット１Ａの組み立て手順は、図３に基づいて説明したスピーカアレイユニット１の組み立て手順とほぼ同様である。但し、バッフル板の小穴１３−２，１３−６，１３−１０を貫通孔である小孔１３Ａ−２，１３Ａ−６，１３Ａ−１０とする。そして、バッフル板１０の上部を３つのネジ６１により前側から密閉用キャビティ３０Ａのネジ孔３５Ａ−１〜３５Ａ−３に固定する。また、密閉用キャビティ３０Ａを、その後ろ側から３つのネジ６０でバッフル板１０の下部に固定する。これにより、密閉用キャビティ３０Ａとバッフル板１０によりスピーカユニット２０−１〜２０−１０を挟持する。
【００４１】
次に、スピーカアレイユニットの更に別の形態について説明する。図７は、スピーカアレイユニットの更に別の構成を示す斜視展開図及び断面図である。図７に示すように、スピーカアレイユニットにおいては、プリント基板を密閉用キャビティの複数の面として使用することができる。例えば、図７に示すスピーカアレイユニット１Ｂのように、密閉用キャビティ３０Ｂの解放面（プリント基板取り付け面）である上面３１ＢＪ及び後面３１ＢＲにプリント基板を取り付けて面全体を被覆するように構成することができる。密閉用キャビティ３０Ｂの隣り合う２面としてプリント基板を使用する場合には、一方のプリント基板４０Ａをスピーカユニット２０の端子ピン２３Ｃ，２３Ｄと接続する配線用のプリント基板に使用し、他方のプリント基板４０Ｂを信号処理回路用のプリント基板に使用すると良い。これにより、スピーカアレイユニット１Ｂで信号処理を行うことができるので、図３に示したスピーカアレイユニット１や図６に示したスピーカアレイユニット１Ａのように、別途信号処理回路を搭載したプリント基板を用意する必要がなく、図２に示したマトリックス型のスピーカアレイ装置２を構成する際に、装置のサイズを小さくすることができ、また、配線などの組み立て性を向上させることができる。
【００４２】
また、スピーカアレイユニット１Ｂを密閉型スピーカとして使用する場合には、２つのプリント基板４０Ａ・４０Ｂの密閉用キャビティ３０Ｂに対する気密性を高めるために、密閉用キャビティ３０Ｂの上面３１ＢＪと後面３１ＢＲの接合辺で２つのプリント基板４０Ａ・４０Ｂを接続すると良い。すなわち、図７（Ｃ）に示すように、プリント基板４０Ａ・４０Ｂの各々の端部に信号線接続用のコネクタ８０Ａ，８０Ｂ，８１Ａ，８１Ｂを設けて、接続する。これにより、２つのプリント基板４０Ａ・４０Ｂは、横から見た形状がＬ字形状になる。そして、コネクタを用いて接続した２つのプリント基板４０Ａ・４０Ｂを複数のネジ５０，６０により、密閉用キャビティ３０Ｂに固定すると良い。これにより、密閉用キャビティ３０Ｂに対するプリント基板４０Ａ，４０Ｂの密閉性を高めることができる。
【００４３】
スピーカアレイユニット１Ｂの組み立て手順は、図３に基づいて説明したスピーカアレイユニット１及び図６に基づいて説明したスピーカアレイユニット１Ａの組み立て手順とほぼ同様である。
【００４４】
以上のように、本発明のスピーカアレイ装置では、キャビティのプリント基板取り付け面を密閉するようにプリント基板を取り付け、また、バッフル板とキャビティによりスピーカユニットを挟持する構成なので、組み立て性が良好である。また、上記の構成により、密閉型スピーカとしても問題なく使用できるので、簡素な構成の密閉型スピーカアレイ装置を提供できる。
【００４５】
なお、以上の説明では、キャビティの解放面（プリント基板取り付け面）が１面、または２面の場合について発明したが、さらに複数の面をプリント基板取り付け面にすることも可能である。
【図面の簡単な説明】
【００４６】
【図１】従来のスピーカアレイ装置の前面側、及び裏面側の配線の状態を示す外観図である。。
【図２】ライン型のスピーカアレイユニットの斜視図、及びマトリックス型のスピーカアレイ装置の斜視図である。
【図３】ライン型のスピーカアレイユニットの前方からの斜視展開図である。
【図４】ライン型のスピーカアレイユニットの後方からの斜視展開図である。
【図５】ライン型のスピーカアレイユニットの断面図である。
【図６】スピーカアレイユニットの別の構成を示す斜視展開図及び断面図である。
【図７】スピーカアレイユニットの更に別の構成を示す斜視展開図及び断面図である。
【符号の説明】
【００４７】
１，１Ａ，１Ｂ−スピーカアレイユニット    ２−スピーカアレイ装置
３−ケース    ４−桟    ５−ボス    １０−バッフル板    １１−放音孔
１２，１３−小穴    １４−リブ    １５−ボス    ２０−スピーカユニット
２１−スピーカ    ２１Ｔａ，２１Ｔｂ−端子    ２２−ホルダ
２３Ａ，２３Ｂ，２３Ｃ，２３Ｄ−端子ピン    ２４Ａ，２４Ｂ−切り欠き
３０，３０Ａ，３０Ｂ−密閉用キャビティ    ３２−スピーカ取付孔
４０，４０Ａ，４０Ｂ−プリント基板    ４１−スルーホール
４２Ａ，４２Ｂ−コネクタ    ４３，４３Ａ，４３Ｂ−孔
５０，６０，６１−ネジ    ７０−端子ピンホルダ
１０１−スピーカアレイ装置    １１１−スピーカユニット    １２１−線材
１２２−ケーブル    １２３−ケーブルバンド    １２６，１２７−コネクタ
【図１】
2007235709.tif 000003
【図２】
2007235709.tif 000004
【図３】
2007235709.tif 000005
【図４】
2007235709.tif 000006
【図５】
2007235709.tif 000007
【図６】
2007235709.tif 000008
【図７】
2007235709.tif 000009